(57)【特許請求の範囲】
【請求項１】
複数のロッカーボックスと該ロッカーボックスの施解錠を制御する制御手段を備えたロッカー装置において、
利用者を識別する利用者情報に対して前記ロッカーボックスのうちの任意数のロッカーボックスを設定するボックス設定手段と、
利用者の操作により該利用者の利用者情報を識別する利用者識別手段と、
該利用者識別手段で識別された利用者情報に設定されているロッカーボックスに対応して、利用者が暗証番号を設定する暗証番号設定手段と、
特定のＩＤカードの利用者情報を認識したときに特定モードに設定可能にする特定モード設定手段と、
を備え、
該制御手段は、前記利用者識別手段で識別された利用者情報と入力された暗証番号とが認証されたとき、
前記特定モードでないときには、前記利用者識別手段で識別された利用者情報に対応するロッカーボックスについて入力されたボックス番号の認証により該ロッカーボックスを解錠する解錠の処理を行うとともに、
前記特定モードのときには、前記利用者識別手段で識別された利用者情報が特定モードに設定したときの利用者情報であるかを判定し、該特定モードに設定したときの利用者情報でなければ該利用者情報に対応するロッカーボックスについての前記解錠の処理を回避し、該特定モードに設定したときの利用者情報であれば該利用者情報に対応するロッカーボックスについて入力されたボックス番号の認証により該ロッカーボックスを解錠する解錠の処理を行うことを特徴とするロッカー装置。
【請求項２】
前記利用者識別手段が、前記ロッカーボックスを収容している部屋の扉の施解錠を制御する入退場扉制御装置であることを特徴とする請求項１記載のロッカー装置。
【請求項３】
前記利用者識別手段が、利用者情報を記録したカードから該利用者情報を読み取ることを特徴とする請求項１または請求項２記載のロッカー装置。
【発明の詳細な説明】
【０００１】
【発明の属する技術分野】
本発明は、複数の利用者が利用可能で暗証番号を入力することにより解錠する暗証番号式のロッカー装置に関する。
【０００２】
【従来の技術】
従来、暗証番号式のロッカー装置は、鍵などを保管する必要がなく、また、鍵の紛失や盗難などによる不都合も回避できるという利点があり、広く普及している。例えば、ゴルフ場などのスポーツ施設で会員（メンバー）にロッカーを指定して提供するものがある。また、会社等で特に業務上の重要物等を保管するために、特定の使用者に複数のロッカーボックスのうちの特定のエリアを指定して使用させるロッカー装置などがある。
【０００３】
また、ロッカーの使用者や使用時間、コードの設定等を一括して制御、管理するため、単数、または複数のロッカーをパソコンにＬＡＮ接続させる手段も知られている。このパソコン等により中央で制御および管理する場合、利用者に使用させるエリアの指定や、暗証番号の設定を、中央のパソコン等で入力設定することが行われている。
【０００４】
【発明が解決しようとする課題】
しかし、パソコン等の中央で制御および管理する場合、利用者が使用する暗証番号等の同じデータを中央でも共有しているため、発行側でも容易に解錠することができ、また、利用者側で暗証番号を自由に変えることができないため、利用者側での完全管理ができないという問題がある。また、複数の利用者が同じロッカーを重複して利用できるようにする場合、同じ暗証番号を使用しなければならず、使い勝手が悪いという問題がある。さらに、管理者側で複数のエリアを予め指定する場合、暗証番号の設定などの管理上の手間が大変であり、実質的に暗証番号を用いることができないという問題がある。
【０００５】
本発明は、ロッカーボックスの予め指定されたエリアにおいて複数の利用者でも暗証番号の入力設定を可能にし、利用者側で独自管理ができて使い勝手がよいロッカー装置を提供することを課題とする。
【０００６】
【課題を解決するための手段】
請求項１のロッカー装置は、複数のロッカーボックスと該ロッカーボックスの施解錠を制御する制御手段を備えたロッカー装置において、利用者を識別する利用者情報に対して前記ロッカーボックスのうちの任意数のロッカーボックスを設定するボックス設定手段と、利用者の操作により該利用者の利用者情報を識別する利用者識別手段と、該利用者識別手段で識別された利用者情報に設定されているロッカーボックスに対応して、利用者が暗証番号を設定する暗証番号設定手段と、特定のＩＤカードの利用者情報を認識したときに特定モードに設定可能にする特定モード設定手段と、を備え、該制御手段は、前記利用者識別手段で識別された利用者情報と入力された暗証番号とが認証されたとき、前記特定モードでないときには、前記利用者識別手段で識別された利用者情報に対応するロッカーボックスについて入力されたボックス番号の認証により該ロッカーボックスを解錠する解錠の処理を行うとともに、前記特定モードのときには、前記利用者識別手段で識別された利用者情報が特定モードに設定したときの利用者情報であるかを判定し、該特定モードに設定したときの利用者情報でなければ該利用者情報に対応するロッカーボックスについての前記解錠の処理を回避し、該特定モードに設定したときの利用者情報であれば該利用者情報に対応するロッカーボックスについて入力されたボックス番号の認証により該ロッカーボックスを解錠する解錠の処理を行うことを特徴とする。
【０００７】
上記のように構成された請求項１のロッカー装置によれば、例えば管理者側が、ボックス設定手段により、利用者情報に対応付けて任意数の必要なだけのロッカーボックスを設定することができる。また、複数の利用者にロッカーボックスを重複して設定することができる。利用者情報は例えばカード等に記録される。利用者は、利用者識別手段により利用者情報を識別させ、暗証番号設定手段により、該利用者情報に設定されているロッカーボックスに対応して暗証番号を設定することができる。また、特定モード設定手段は、特定のＩＤカードの利用者情報を認識したときに特定モードに設定可能にする。制御手段は、前記利用者識別手段で識別された利用者情報と入力された暗証番号とが認証されたとき、特定モードでないときには、利用者識別手段で識別された利用者情報に対応するロッカーボックスについて入力されたボックス番号の認証により該ロッカーボックスを解錠する解錠の処理を行う。したがって、所定のエリアのロッカーボックスを利用者に割り当てることができるとともに、利用者が所望の暗証番号を設定できる。また、複数の利用者に１つのロッカーボックスを設定した場合でも、利用者情報により利用者を識別できるので、１つロッカーボックスに対して、各利用者が各々の暗証番号を設定することができる。さらに、特定モードのときには、前記利用者識別手段で識別された利用者情報が特定モードに設定したときの利用者情報であるかを判定し、該特定モードに設定したときの利用者情報でなければ該利用者情報に対応するロッカーボックスについての前記解錠の処理を回避し、該特定モードに設定したときの利用者情報であれば該利用者情報に対応するロッカーボックスについて入力されたボックス番号の認証により該ロッカーボックスを解錠する解錠の処理を行う。したがって、この特定モードでは、責任者等の特定の利用者が優先的にそのロッカーボックスを利用できるので、特に重要な物品等を特定の責任者等だけが管理できるような使い方もできる。
【０００８】
請求項２のロッカー装置は、請求項１の構成を備え、前記利用者識別手段が、前記ロッカーボックスを収容している保管室の扉の施解錠を制御する入退場扉制御装置であることを特徴とする。
【０００９】
上記のように構成された請求項２のロッカー装置によれば、請求項１と同様な作用効果が得られるとともに、ロッカーボックスを収容している保管室へ入場するときの操作をするだけで、利用者情報を認識させることができるので、操作が簡単になる。
【００１０】
請求項３のロッカー装置は、請求項１または請求項２の構成を備え、前記利用者識別手段が、利用者情報を記録したカードから該利用者情報を読み取ることを特徴とする。
【００１１】
上記のように構成された請求項３のロッカー装置によれば、請求項１または請求項２と同様な作用効果が得られるとともに、例えば、社員カードなどの既存のＩＤカードを利用者情報の読み取りに使用することができる。
【００１２】
なお、利用者情報は利用者の指紋を基にして、利用者識別手段として指紋読み取り装置などと用いることもできる。
【００１３】
【発明の実施の形態】
以下、本発明の一実施形態について図面を参照して説明する。図１は本発明の実施形態のロッカー装置を用いた重要物保管ボックスシステムの概略図であり、このシステムは、企業の社屋や工場内に構築されたものである。ロッカー装置１は所定のセキュリティルーム（保管室）２内に設置され、パソコン３は管理室等に設置されている。セキュリティルーム２には、このセキュリティルーム２の図示しない扉の施解錠を制御する入退場扉制御装置４が配設されている。また、ロッカー装置１、パソコン３および入退場扉制御装置４はＬＡＮ（ローカルエリアネットワーク）により相互に接続されている。なお、図１では一つのセキュリティルーム２内のロッカー装置１だけを示しているが、他のセキュリティルームとロッカー装置をＬＡＮで接続してあっても同様である。
【００１４】
ロッカー装置１は、複数のロッカーボックス１１と、中央に配置された操作表示部１２とを備えている。また、ロッカー装置１内には、各ロッカーボックス１１の扉の施解錠の制御と、操作表示部１２における入力と表示の制御を行う制御部１３、ＬＡＮとの接続制御を行うＬＡＮボード１４を備えている。
【００１５】
図２(A) に示すように、ロッカーボックス１１の扉１１１には、扉番号を印したステッカー１１２、およびランプを内蔵した把手１１３が配設され、扉１１１が当接する框部には扉１１１を施解錠するための電気錠１１４が配設されている。また、図２(B) に示すように、操作表示部１２には、内蔵したカードリーダー１２１のカードスライド部１２１ａ、液晶表示器等で構成されたタッチパネル１２２、赤外線等で利用者を感知する省エネセンサ１２３が配設されている。
【００１６】
制御部１３はマイクロコンピュータ等で構成されており、後述の制御プログラムを実行する。そして、カードデータの入力の制御、タッチパネル１２２における表示と操作入力の制御を行い、暗証番号の入力設定や照合、判定等を行い、電気錠１１４の施解錠を制御する。また、ＬＡＮボード１４を介してパソコン３および入退場扉制御装置４と相互通信を行う。
【００１７】
入退場扉制御装置４はカードリーダー４１を備えており、このカードリーダー４１のカードスライド部はセキュリティルーム２の外部に露出されている。
【００１８】
以上の構成により、ＩＤカード（社員カード）を用いてロッカー装置１を使用する。このＩＤカードには、社員番号、社員名、所属部署等の社員情報がカードデータとして磁気記録されており、この実施形態ではこのカードデータが利用者情報に相当する。なお、このカードデータは管理者側のパソコン３に登録されている。そして、利用者にロッカーボックス１１のエリアを割り当てる（登録するとき）とき、パソコン３を使って、割り当てるエリアのロッカーボックス１１のロッカー番号をカードデータに対応付けて記憶する。そして、このカードデータとロッカー番号の対応を示すデータは、ＬＡＮを介してロッカー装置１の制御部１３に登録される。
【００１９】
また、セキュリティルーム２への入室を許可されている利用者のカードデータ（社員番号等）はＬＡＮを介して入退場扉制御装置４に登録されており、カードリーダー４１で利用者のＩＤカードのカードデータを読み取り、入室を許可するものとして認証すると、扉を解錠するとともに、そのカードデータが、入退場扉制御装置４からロッカー装置１の制御部１３に転送される。
【００２０】
なお、ロッカーボックス１１のエリアの割り当ては、図１に示した各ロッカーボックス１１のうち、例えば、右端の縦１列はＡ部署、次の縦１列はＢ部署といったように部署毎に割り当ててもよいし、例えば二点鎖線▲１▼のエリアはＡ社員、二点鎖線▲２▼のエリアはＢ社員のように、一部のロッカーボックス１１を複数の利用者に重複して割り当ててもよい。この割り当ては任意に設定できる。
【００２１】
また、ロッカー装置１におけるロッカーボックス１１の使用状況等のデータは、制御部１３からパソコン３に転送したり、パソコン３から制御部１３にデータ転送を供給するなどして、パソコン３で管理することもできる。
【００２２】
図３は実施形態における入退場扉制御装置４の制御プログラムのフローチャート、図４および図５は実施形態におけるロッカー装置１の制御部１３の制御プログラムのフローチャート、図６はロッカー装置１におけるタッチパネル１３の表示例を示す図であり、同図に基づいて動作を説明する。なお、ロッカー装置１の制御部１３には、当該ロッカー装置１に登録されている利用者のカードデータと、各カードデータに対して割り当てられているエリアのロッカー番号とが、それぞれ対応付けて記憶されている。また、暗証番号が入力設定されると、その暗証番号もカードデータとロッカー番号に対応付けて記憶される。
【００２３】
図３に示したように、入退場扉制御装置４は、ステップＳ１で、カードリーダー４１によりＩＤカードの検知を監視し、ＩＤカードが検知されると、ステップＳ２でそのＩＤカードのカードデータに基づいて入室が許可されているか認証し、認証がＯＫでなければステップＳ３で例えば「入室できません」等の表示をするなど拒否警告を出してステップＳ１に戻る。認証がＯＫであれば、ステップＳ４でセキュリティルーム２の扉電気錠を解錠するとともに、ロッカー装置１の制御部１３に対して、入室を検知したことと認証したカードデータを転送し、ステップＳ１に戻る。
【００２４】
図４に示したように、ロッカー装置１の制御部１３では、ステップＳ１１で、入退場扉制御装置４からのデータ信号に基づいて入室を検知したか否かを監視し、入室が検知されると、ステップＳ１２に進む。ここで、複数の利用者に対応してＩＤカードは複数あり、ロッカー装置１の制御部１３には、当該ロッカー装置１の使用エリアが割り当てられているＩＤカードのカードデータが予め登録されている。そこで、ステップＳ１２で、カードデータは当該ロッカー装置１（制御部１３）に登録されているか否かを判定する。
【００２５】
カードデータが登録されていないときには、図５のステップＳ１３で、図６(A) のカード操作指示画面を表示してカードの入力待機とし、カードリーダー１２１で入力操作されたＩＤカードのカードデータを読み取る。そして、ステップＳ１４で、カードデータに基づいてロッカー使用の認証がＯＫであるか否かを判定し、認証がＯＫでなければステップＳ１５で図６(B) の使用不許可の画面を表示してステップＳ１１に戻る。一方、特定のＩＤカードの場合などロッカー使用の認証がＯＫであれば、ステップＳ１６で、登録されていないロッカーボックスをそのカードデータに対応させるようにカードデータを登録し、図４のステップＳ１８に進んで、暗証番号の設定登録モードにする。
【００２６】
図４のステップＳ１２で、カードデータが登録されているときは、ステップＳ１７で、そのカードデータについて暗証番号が登録済みであるか否かを判定する。暗証番号が登録されていないときは、ステップＳ１８で、図６(C) に示した暗証番号設定画面を表示し、入力された番号を暗証番号として設定登録する。次に、ステップＳ１９で、特定モードに設定するか否かの判定を行い、特定モードに設定しなければステップＳ２５に進み、特定モードに設定するのであれば、ステップＳ２０で対応するロッカーボックスを特定モードに設定し、ステップＳ２５に進む。
【００２７】
この特定モードとは、複数の利用者に１つのロッカーボックスあるいはエリアを重複して割り当ててある場合、例えば、責任者等の特定の利用者が優先的にそのロッカーボックスを利用できるように設定するモードである。そして、この特定のモードに設定されたロッカーボックスは他の利用者が暗証番号を登録しても利用することができないようになる。
【００２８】
複数の利用者にロッカーボックスを重複して割り当ててることで、通常は同じロッカーボックスを複数利用者が利用あるいは管理することができるが、上記のような特定モードを併用することにより、特に重要な物品等を特定の責任者等だけが管理できるような使い方もできる。
【００２９】
ステップＳ１７で、現在のカードデータについて暗証番号が登録されているときは、ステップＳ２１で、図６(D) に示した暗証番号入力画面を表示し、入力された暗証番号を読み取る。そして、ステップＳ２２で、現在のカードデータに対応する暗証番号であるかを判定し、暗証番号がＯＫでなければステップＳ２１に戻る。なお、この場合には図６(E) のように暗証番号入力画面のメッセージを「暗証番号がちがいます」の表示に変更する。なお、ステップＳ２１で、暗証番号を入力して変更の指示が行われた場合には、現在の暗証番号が認証されたときにステップＳ１７に戻って、暗証番号の設定登録のモードにすることができる。
【００３０】
ステップＳ２２で暗証番号がＯＫであれば、ステップＳ２３で特定モードに設定されているか否かを判定し、特定モードに設定されていれば、ステップＳ２４で、現在のカードデータが特定モードに設定したときのカードデータであるか判定し、特定モードに設定したときのカードデータであればステップＳ２５に進み、そうでなければ、例えば「特定モードに設定されています」等の表示を行なってステップＳ１１に戻る。
【００３１】
また、ステップＳ２３で特定モードに設定されていなければ、ステップＳ２５で現在のカードデータに登録されているロッカーボックスの赤ランプを点灯し、ステップＳ２６で、図６(F) に示したボックス番号入力画面を表示し、入力されたデータを読み取る。そして、ステップＳ２７で、中止または終了の操作入力であるか否かを判定し、中止または終了の入力操作であればステップＳ１１に戻り、中止または終了の入力でなければ、ステップＳ２８でボックス番号がＯＫであるか否か（現在のカードデータに対応するロッカーボックスのボックス番号であるか否か）を判定し、ボックス番号がＯＫでなければステップＳ２６に戻る。なお、この場合には図６(G) のように「ボックス番号がちがいます」のメッセージを表示する。
【００３２】
ボックス番号がＯＫであれば、ステップＳ２９で、入力されたボックス番号のロッカーボックスを解錠し、図６(H) に示した出入れ操作画面を表示する。これにより、利用者は物品の出入れを行うことができるので、ステップＳ３０でロッカーボックスの扉が閉じられるかを監視する。そして、扉が閉じられると、ステップＳ３１でそのロッカーボックスを施錠し、ステップＳ２６に戻る。
【００３３】
複数のロッカーボックスで出入れを行う場合は、所望のロッカー番号を順次入力する。そして、終了する場合にはステップＳ２６のボックス番号入力画面の表示のときに中止または終了の操作を行うことで、ステップＳ１１に戻る。
【００３４】
以上の処理により、ＩＤカードのカードデータにより利用者を確認し、そのカードデータに対応して登録された暗証番号により操作者が正規の利用者であるかを確認してロッカーボックスを解錠するので、安全に確実に保管することができる。
【００３５】
また、利用者にロッカーボックスのエリアを割り当てるのは管理者側のパソコン３で行うことができるので、利用状況等を管理することができる。一方、暗証番号は利用者が自由に設定および変更することができるので、利用者が独自管理することができ、使い勝手がよい。また、管理者側で暗証番号の設定作業等を必要としないので管理も容易になる。
【００３６】
また、セキュリティルーム２へ入室するときに、入退場扉制御装置４のカードリーダー４１で読み取ったカードデータがロッカー装置１の制御部１３に転送され、ロッカー装置１にカードデータが登録されていれば、暗証番号設定登録あるいは暗証番号入力の画面になり、そのまま番号の入力操作をすればよいので、ロッカー装置１においてカードリーダー１２１でＩＤカードの読み取りを省略することができ、操作が簡易化する。この場合は、入退場扉制御装置４のカードリーダー４１とロッカー装置１の制御部１３が、請求項の「利用者識別手段」に相当する。
【００３７】
なお、カードデータの読み取りは、ロッカー装置１のカードリーダー１２１で行うようにしてもよいことはいうまでもない。この場合は、ロッカー装置１のカードリーダー１２１と制御部１３が請求項の「利用者識別手段」に相当する。
【００３８】
以上の実施形態では、社員カード等のＩＤカードを用いているが、ロッカー専用のカードを発行するようにしてもよい。また、ゴルフ場などのスポーツ施設、ホテル、その他の遊技施設などのロッカー装置にも適用でき、ロッカー装置の使用場所あるいは用途は実施形態に限らない。
【００３９】
また、カードとカードデータの代わりに指紋等のデータを利用者情報として用いるようにしてもよい。
【００４０】
【発明の効果】
以上説明したように、本発明の請求項１のロッカー装置によれば、所定のエリアのロッカーボックスを利用者に割り当てることができるとともに、利用者が所望の暗証番号を設定でき、また、複数の利用者に１つのロッカーボックスを設定した場合でも、カードデータ等の利用者情報により利用者を識別できるので、１つのロッカーボックスに対して各利用者が各々の暗証番号を設定することができる。したがって、利用者で独自管理ができて使い勝手が良くなる。また、特定モードでは、責任者等の特定の利用者が優先的にそのロッカーボックスを利用できるので、特に重要な物品等を特定の責任者等だけが管理できるような使い方もできる。
【００４１】
また、請求項２のロッカー装置によれば、請求項１と同様な効果が得られるとともに、ロッカーボックスを収容している保管室へ入場するときの操作をするだけで、利用者情報を認識させることができるので、操作が簡単になる。
【００４２】
また、請求項３のロッカー装置によれば、請求項１または請求項２と同様な効果が得られるとともに、例えば、社員カードなどの既存のＩＤカードを利用者情報の読み取りに使用することができる。
【図面の簡単な説明】
【図１】本発明の実施形態のロッカー装置を用いた重要物保管ボックスシステムの概略図である。
【図２】本発明の実施形態のロッカー装置における扉と操作表示部の拡大図である。
【図３】本発明の実施形態における入退場扉制御装置の制御プログラムのフローチャートである。
【図４】本発明の実施形態におけるロッカー装置の制御部の制御プログラムのフローチャートである。
【図５】本発明の実施形態におけるロッカー装置の制御部の制御プログラムのフローチャートの他の一部である。
【図６】本発明の実施形態における表示例を示す図である。
【符号の説明】
１    ロッカー装置
２    セキュリティルーム
３    パソコン
４    入退場扉制御装置
１１  ロッカーボックス
１２  操作表示部
１３  制御部
【図１】
0004184589.tif 000002
【図２】
0004184589.tif 000003
【図３】
0004184589.tif 000004
【図４】
0004184589.tif 000005
【図５】
0004184589.tif 000006
【図６】
0004184589.tif 000007